(57)【要約】【課題】整経ドラムと相対向して設置された回転給糸装置を使用し、予め設置された柄データ（糸配列順・色糸配列順）に従い、複本数の糸による柄設定ができるサンプル整経機の糸巻付切替手段（糸選択手段）を２つの糸巻付切替手段によって、ヤーンガイドの糸を整経ドラムに巻付ける巻付糸と整経ドラムに巻付けない休止糸とに切替えることができる糸巻付切替手段付サンプル整経機及び整経方法を提供する。【解決手段】ヤーンガイドを固定式とし、整経ドラムと回転給糸装置の間に第１開口部及び第２開口部を有するリング状ガイドロッドを設け、糸巻付切替手段が、第１糸巻付切替手段と第２糸巻付切替手段の２つの糸巻付切替手段により、回転給糸装置の各ボビンから引出された糸を整経ドラム上に巻付ける巻付糸と整経ドラム上に巻付けない休止糸とに選択するようにした。【選択図】図１
2008255523.tif 000002
【特許請求の範囲】
【請求項１】
コンベアベルトを有する整経ドラムと、
該整経ドラムに相対向して設けられ、かつ複数個のボビンと該ボビンから引出された糸をガイドする複数個のヤーンガイドを有する回転給糸装置と、
該ボビンから引出された糸を整経ドラムに巻付ける巻付糸と整経ドラムに巻付けない休止糸とに分ける糸巻付切替手段と、
該休止糸を巻取回収する糸巻取リールと、
を含むサンプル整経機であって、
前記ヤーンガイドを固定式とし、前記整経ドラムと回転給糸装置の間に第１開口部及び第２開口部を有するリング状ガイドロッドを設け、
前記糸巻付切替手段が、第１糸巻付切替手段と第２糸巻付切替手段の２つの糸巻付切替手段により、回転給糸装置の各ボビンから引出された糸を整経ドラム上に巻付ける巻付糸と整経ドラム上に巻付けない休止糸とに選択することを特徴とする糸巻付切替手段付サンプル整経機。
【請求項２】
前記第１糸巻付切替手段が、前記リング状ガイドロッドの第１開口部を開閉する第１可動片と該第１可動片を駆動する第１駆動手段からなり、該第１可動片が第１開口部を閉鎖する閉鎖位置及び第１開口部を開口する開口位置に変位することを特徴とする請求項１記載の糸巻付切替手段付サンプル整経機。
【請求項３】
前記第２糸巻付切替手段が、前記リング状ガイドロッドの第２開口部近傍に設けられた第２可動片と該第２可動片を駆動する第２駆動手段からなり、該第２可動片が巻付糸軌道に進出する進出位置及び巻付糸軌道から退去している退去位置に変位することを特徴とする請求項１又は２記載の糸巻付切替手段付サンプル整経機。
【請求項４】
前記ヤーンガイドの固定位置については、全てのヤーンガイドの少なくとも１個のヤーンガイドは、前記リング状ガイドロッドと回転給糸装置との間、つまりボビンから引出された糸が休止糸の糸軌道になるように固定し、他のヤーンガイドは整経ドラム状に巻付ける巻付糸の糸軌道に固定することを特徴とする請求項１〜３のいずれか１項記載の糸巻付切替手段付サンプル整経機。
【請求項５】
請求項１〜４いずれか１項記載の糸巻付切替手段付サンプル整経機を用いた整経方法であって、
前記複数個のボビンのうち少なくとも１本に種糸を仕掛けておく種糸準備工程と、
前記ボビンに仕掛けられた種糸と他のボビンに仕掛けられた糸とを一緒に前記糸巻取リールに仕掛ける糸仕掛け工程と、
前記糸巻付切替手段の第１糸巻付切替手段と第２糸巻付切替手段の２つの糸巻付切替手段により、前記回転給糸装置の各ボビンから引出された糸を前記第１開口部及び第２開口部を介して整経ドラム上に巻付ける巻付糸と整経ドラム上に巻付けない休止糸とに選択しながら整経する整経工程と、
前記種糸と前記休止糸とが互いに絡み合って前記糸巻取リールに巻取回収される巻取回収工程と、
を含むことを特徴とする整経方法。
【発明の詳細な説明】
【技術分野】
【０００１】
本発明は、整経ドラムと相対向して設置された回転給糸装置を使用し、予め設定された柄データ（糸配列順、色糸配列順）に従い、複本数による柄整経ができるサンプル整経機の糸巻付切替手段（糸選択手段）及び整経方法に関する。
【背景技術】
【０００２】
整経ドラムと相対向して設置された回転クリールを使用し、予め設定された柄データ（糸配列順、色糸配列順）に従い、複本数による柄整経ができるサンプル整経機としては既に特許文献１、特許文献２、特許文献３が開示されている。
【０００３】
特許文献１で開示されているサンプル整経機の糸巻付切替手段は、ヤーンガイドを整経ドラムへの巻付位置と巻付休止位置とに変位・回動することにより複本数による柄整経を可能としている。
【０００４】
特許文献２で開示されているサンプル整経機の糸巻付切替手段は、ヤーンガイドを予め整経ドラムへの巻付位置に固定し、一方、各々のヤーンガイドに対応して可動式糸道規制ガイドを設け、該糸道規制ガイドを変位・回動することによって、整経ドラムへの巻付位置と巻付休止位置に糸道を変化させることにより複本数による柄整経を可能としている。
【０００５】
特許文献３で開示されているサンプル整経機の糸巻付切替手段は、ヤーンガイドを整経ドラムの巻付位置と巻付休止位置とに変位・回動する糸巻付切替手段と、整経ドラムと回転クリールとの間に設けられたリング状ガイドロッドの１部を開口し、開口部に可動片を設け、該可動片を正開・閉・逆開の３方向の動作とを併用して複本数による柄整経を可能としている。
【特許文献１】特許第３４５４８０５号
【特許文献２】特許第３７６４４７４号
【特許文献３】特許第３７９５８９３号
【発明の開示】
【発明が解決しようとする課題】
【０００６】
前記特許文献１〜３のサンプル整経機の糸巻付切替手段（糸選択手段）は、ヤーンガイド又は糸道規制ガイドを変位・回動することにより糸の巻付切替えをしていたので変位・回動の駆動手段はヤーンガイドと同数必要であった。
【０００７】
本発明の目的は、整経ドラムと相対向して設置された回転給糸装置を使用し、予め設定された柄データ（糸配列順・色糸配列順）に従い、複本数の糸による柄設定ができるサンプル整経機の糸巻付切替手段（糸選択手段）を２つの糸巻付切替手段によって、ヤーンガイドの糸を整経ドラムに巻付ける巻付糸と整経ドラムに巻付けない休止糸とに切替えることができる糸巻付切替手段付サンプル整経機及び整経方法を提供することにある。
【課題を解決するための手段】
【０００８】
上記課題を解決するための本発明の糸巻付切替手段付サンプル整経機は、
コンベアベルトを有する整経ドラムと、
該整経ドラムに相対向して設けられ、かつ複数個のボビンと該ボビンから引出された糸をガイドする複数個のヤーンガイドを有する回転給糸装置と、
予め設定された柄データ（糸配列順、色糸配列順）に従い、整経ドラムに巻付ける巻付糸と整経ドラムに巻付けない休止糸とに分ける糸巻付切替手段と、
該糸巻付切替手段により休止糸となった糸を巻取回収する糸巻取リールと、
を含むサンプル整経機であって、
前記ヤーンガイドを固定式とし、前記整経ドラムと回転給糸装置との間に、第１開口部と第２開口部を有するリング状ガイドロッドを設け、
前記糸巻付切替手段が、休止糸から巻付糸に切替える第１糸巻付切替手段と巻付糸から休止糸に切替える第２糸巻付切替手段の２つの糸巻付切替手段により、回転給糸装置の各ボビンから引出された糸を整経ドラム上に巻付ける巻付糸と整経ドラム上に巻付けない休止糸とに選択することを特徴とする。
【０００９】
前記第１糸巻付切替手段は、前記リング状ガイドロッドの第１開口部を開閉する第１可動片と、該第１可動片を駆動する第１駆動手段からなり、該第１可動片が該開口部を閉鎖する閉鎖位置と該開口部を開口する開口位置に変位する構成とすることによって、前記第１可動片が閉鎖位置にあるときに休止糸が通過した場合は、休止糸のまま通過し、前記第１可動片が開口位置にあるときに休止糸が通過した場合は、前記開口部から整経ドラムに巻付く軌道に引出されることによって休止糸の中から整経ドラムへ巻付る糸と巻付られない糸に切替えることができる。
【００１０】
前記第２糸巻付切替手段は、前記リング状ガイドロッドの第２開口部近傍に設けられた第２可動片と第２可動片を駆動する第２駆動手段からなり、該第２可動片の先端が、整経ドラムへの巻付軌道に進出する進出位置と巻付糸軌道から退去している退去位置に変位する構成とすることによって、前記第２可動片の先端が進出位置にあるときに、整経ドラムへ巻付中の糸が通過した場合は、該第２可動片にそって第２開口部のすきまから休止糸軌道に引入れられ、前記第２可動片の先端が退去位置にあるときに、整経ドラムへ巻付中の糸が通過した場合は、巻付状態のまま通過することによって整経ドラムへ巻付中の糸の中から休止糸と巻付続行糸に切替えることができる。
【００１１】
前記第１可動片の開閉が回転給糸装置のヤーンガイド回転支持体の回転方向に向かって開閉する形とすると切替えがスムースに可能となる。又、好ましくはヤーンガイドは整経ドラム上の巻付軌道になるように固定することによって、休止糸が前記リング状ガイドロッドに接しながら回転する形態とすると前記第１可動片の開閉が小さくとも容易に切替えが可能となり、かつ、第１駆動手段の運動量を小さくでき、開閉の所要時間の短縮になり高速化が図れる。
【００１２】
前記第２可動片の形状が弓状に湾曲した形状とすると、巻付整経ドラムへの送付から巻付休止に切替えられた糸が湾曲した弧の部分をすべりながら休止糸に引入れられるので好ましい形状となる。
【００１３】
前記リング状ガイドロッドの第２開口部の両端部は平行に重なる部分を有し、かつ、一端側の先端部分が整経ドラム側に平行に重なる部分から先端部までの間が湾曲状に位置するような形状で、平行に重なる部分は糸が通過できる隙間を有している構成とすることが好ましい。又、前記リング状ガイドロッドの湾曲状先端部と整経ドラムの１部分に導入ガイドを設けることにより巻付糸から休止糸に軌道切替えを確実に行える。又、前記糸巻付切替手段は整経長を決める綾を形成するカット綾バーの近くに設置することが好ましい。
【００１４】
又、回転給糸装置に仕掛けるボビンの少なくとも１個を整経ドラムに巻付けない糸とし、それに対応するヤーンガイドの固定位置を回転給糸装置とリング状ガイドロッドの間の巻付け休止糸の糸道に予め固定し、該ボビンの糸を種糸とし、他の休止糸と一緒に糸巻取リールに仕掛けることにより、整経する糸の全てを一辺に整経ドラム上の巻付糸にする場合及び大部分の糸を整経ドラム上の巻付糸等にする場合の切替えがスムースに行えるので好ましい。なお、該種糸としては、他の糸よりも強度の強い糸を用い、強めの張力をかけて他の休止糸と一緒に糸巻取リールに仕掛けるのが好ましい。
【００１５】
本発明の整経方法は、前記糸巻付切替手段付サンプル整経機を用いた整経方法であって、前記複数個のボビンのうち少なくとも１本に種糸を仕掛けておく種糸準備工程と、前記ボビンに仕掛けられた種糸と他のボビンに仕掛けられた糸とを一緒に前記糸巻取リールに仕掛ける糸仕掛け工程と、前記糸巻付切替手段の第１糸巻付切替手段と第２糸巻付切替手段の２つの糸巻付切替手段により、前記回転給糸装置の各ボビンから引出された糸を前記第１開口部及び第２開口部を介して整経ドラム上に巻付ける巻付糸と整経ドラム上に巻付けない休止糸とに選択しながら整経する整経工程と、前記種糸と前記休止糸とが互いに絡み合って前記糸巻取リールに巻取回収される巻取回収工程と、を含むことを特徴とする。
【発明の効果】
【００１６】
本発明の糸巻付切替手段付サンプル整経機によれば、従来の糸巻付切替手段（糸選択手段）の設置を省略することができるとともに整経ドラム上に巻付ける巻付糸と整経ドラム上に巻付ない休止糸との切り替えを一段と極めてスムーズに行うことができ、複本数同時整経による柄整経が可能となり、効率よく短時間で整経することができるという効果が達成される。
【発明を実施するための最良の形態】
【００１７】
以下に、本発明の実施の形態を添付図面に基づいて説明するが、図示例はあくまでも例示的なものであり、本発明の技術思想から逸脱しない限り図示例以外にも種々の変形が可能なことはいうまでもない。
【００１８】
図１は本発明の糸巻付切替手段付サンプル整経機の一つの実施の形態の全体を示す側面概略説明図である。図２は本発明の糸巻付切替手段付サンプル整経機の一つの実施の形態における整経ドラムの正面を示す概略説明図である。図３は本発明の糸巻付切替手段付サンプル整経機の一つの実施の形態において整経開始前に全ての糸を糸巻取リールに仕掛けた状態（糸は全て休止状態）を示す正面概略説明図である。図４は本発明の糸巻付切替手段付サンプル整経機の一つの実施の形態において整経が始まり第１糸巻付切替手段により糸が整経ドラムに巻き付けられた状態を示す正面概略説明図である。図５は本発明の糸巻付切替手段付サンプル整経機の一つの実施の形態において整経ドラムに巻付中の糸が第２糸巻付切替手段によって休止糸に切替えられる状態を示す正面概略説明図である。図６は本発明の糸巻付切替手段付サンプル整経機の一つの実施の形態において第１糸巻付切替手段、第２糸巻付切替手段及び導入ガイドの設置関係を示す側面概略説明図である。図７は第１糸巻付切替手段の閉鎖状態を示す動作説明図である。図８は第１糸巻付切替手段の開放状態を示す動作説明図である。図９は第２糸巻付切替手段の動作説明図である。図１０は糸巻取リールの設置状態を示す側面概略説明図である。図１１はリング状ガイドロッドの第２開口部を示す部分拡大図である。図１２は、図１１のＡ矢視拡大図である。図１３は本発明の整経方法を示すフローチャートである。
【００１９】
図１において、１０は糸巻付切替手段付サンプル整経機で、整経ドラム１２を有している。該整経ドラム１２は、該整経ドラム１２に横架された複数本のドラムスポーク１８と、該ドラムスポーク１８の外面に移動可能に設置されたコンベアベルト２０とから構成されている。このコンベアベルト２０は整経ドラム１２上に巻き付けた糸を搬送する搬送ベルトである。
【００２０】
３０は床３２上に設置された整経機フレームである。該フレーム３０には主軸パイプ３４が水平方向に設けられている（図１０）。該主軸パイプ３４には上記整経ドラム１２がドラム板１６を介して回転可能に取り付けられている。この整経ドラム１２は、整経時には不図示のドラムロック機構により固定され、整経した糸を織布ビーム、ワープビームに巻き返す際はロックが解除され回転可能となる。３８は床３２上に回転給糸装置基台３７と相対向して設置されたスライドベースであり、該スライドベース３８の上面には整経機フレーム３０が移動可能に載置され、整経ドラム１２が回転給糸装置５０に対して接離可能とされている。
【００２１】
回転給糸装置５０は、該整経ドラム１２に相対向して設けられており、複数個のボビン５２と、該ボビン５２から引出された糸５４をガイドするためにヤーンガイド回転支持体６０に設けられた複数個の固定ヤーンガイド６６とを含む。前記回転給糸装置基台３７には回転給糸装置フレーム４２が設けられており、該回転給糸装置フレーム４２には回転体フレーム５５が設けられている。
【００２２】
上記回転給糸装置フレーム４２に設けられた回転体フレーム５５の内側には、図１０に示したように、ドライブシャフト４４が設けられており該ドライブシャフト４４によってヤーンガイド回転支持体６０が回転可能とされている。該ヤーンガイド回転支持体６０には複数個の固定ヤーンガイド６６が設けられている。該回転体フレーム５５に設けられた支持プレート５３には、異種及び／又は同種の糸５４を巻いてある複数本のボビン５２が立てられている。５６は該回転体フレーム５５に設けられた糸貯留装置で、該ボビン５２とヤーンガイド回転支持体６０との間に位置しており、該ボビン５２からの糸５４を必要に応じて貯留する作用を行う。
【００２３】
該糸貯留装置５６の前方には傘状の回転支持部材５１が前記回転体フレーム５５に設けられている。ヤーンガイド回転支持体６０は、前記回転支持部材５１とヤーンガイド回転支持部材５７によってその周辺部で支持されるとともにその中心部はドライブシャフト４４に接続され、該ドライブシャフト４４の回転とともに回転するように構成されている。ヤーンガイド回転支持体６０には複数本の固定ヤーンガイド６６が取り付けられており、該固定ヤーンガイド６６は、前記回転給糸装置５０のヤーンガイド回転支持体６０の回転とともに同軸的に回転する。該固定ヤーンガイド６６の構成は図７〜図９によく示されているが、図７〜図９において、６６ａはヤーンガイド６６の先端に設けられたガイド穴である。
【００２４】
図１〜図４において、６７ａ〜６７ｇは綾取バー（６７ａはカット綾上バー、６７ｂはカット綾下バー）である。なお、６９ａはガイド上パイプ，６９ｂガイド下パイプである。ガイド上パイプ６９ａは巻付状態から休止状態となる糸５４の支点用ガイドとして作動するもので、この支点と整経ドラム１２の中心に位置する糸回収ガイド７０を結んだ線上に後述する糸切断装置７６ａが位置している。一方、ガイド下パイプ６９ｂは休止状態から巻付状態となる糸５４の支点用ガイドとして作動するもので、この支点と整経ドラム１２の中心に位置する糸回収ガイド７０を結んだ線上に後述する糸切断装置７６ｂが位置している。糸巻付切替手段付サンプル整経機１０のサンプル整経機としての基本的構成及び作用は上記した特許公報等により広く知られており、公知の構成及び作用についての詳細な説明は省略する。
【００２５】
図２〜５及び図１０に示したように、前記整経ドラム１２のドラム板１６の中央部分の外方には、支持体６８を介して糸回収ガイド７０が設けられている。図１０に示したように、該糸回収ガイド７０は円錐形をしておりその一部が切り欠かれている形状をしており、その中央部には糸回収孔７２が穿設されている。７４はモータ７５等によって駆動される糸巻取リールで、該糸回収孔７２から該糸回収ガイド７０の裏面側に誘導されてくる休止糸５４ａの巻取回収を行う。この糸巻取リール７４の回転速度は、前記コンベアベルト２０の整経中の移動速度より速い速度で行われるのが好適である。７３は休止糸を誘導する方向転換ローラである。該糸回収ガイド７０及び糸巻取リール７４によって糸回収機構が構成される。図２〜図５において、７６ａは第１糸切断装置で，７６ｂは第２糸切断装置である。ガイド上パイプ６９ａ，ガイド下パイプ６９ｂと糸回収孔７２とをそれぞれ結ぶ線上又はその近傍に設置されている。該第１糸切断装置７６ａは、糸５４が巻き付け休止状態から巻き付け状態へと変化した糸を切断し、また、該第２糸切断装置７６ｂは、糸５４が巻き付け状態から巻き付け休止状態へ変化した糸を切断する。なお、整経前に糸５４をヤーンガイド６６に仕掛けるが、この仕掛けた状態の仕掛糸の配置は休止糸５４ａと同様の配置となる。糸５４の内一本の糸は他の整経用糸よりも強力な種糸とすることにより、糸回収の際にこの種糸と休止糸とが互いに絡み合って糸切れのない安定した回収が可能となる。この種糸を仕掛けるヤーンガイド６６の固定位置は休止糸５４ａの糸軌道に固定し、他のヤーンガイド６６の固定位置は巻付糸５４ｂの糸軌道に固定すると、次に説明する糸の巻付切替えが容易となる。
【００２６】
次に、本発明における糸の巻付切替手段について説明する。まず、図６〜図８及び図１１によって、第１糸巻付切替手段について説明する。図６〜図８及び図１１において、８２はリング状のガイドロッドで、整経ドラム１２の回転給糸装置５０側の端部に取り付けられている。該ガイドロッド８２の一部分には第１開口部８４が開口して形成されている。該第１開口部８４には第１糸巻付切替手段を構成する第１可動片８６が第１開口部８４をヤーンガイド回転方向に対して開口しまた閉鎖することができるように回動可能に取り付けられている。この第１可動片８６は、該第１開口部８４を閉鎖する不動作位置（図７）、及び該第１開口部８４を開口する動作位置（図８）の２方向に第１駆動手段８７によって移動可能とされている。
【００２７】
休止糸から巻付糸に切替える場合には、図８に示すように、指示された糸５４ａが第１開口部８４を通過する前に第１可動片８６を動作位置（開口状態）にして通過させると、指示された糸５４ａは第１可動片８６に沿って第１開口部８４から整経ドラム１２上に引出され、巻付糸５４ｂに切替わる。
【００２８】
休止糸から休止糸に続行させる場合（切替えない場合）には、図７に示すように、指示された糸５４ａが第１開口部８４を通過する前に第１可動片８６を不動作位置（閉鎖状態）にして通過させると、指示された糸５４ａはそのまま休止糸５４ａとなる。
【００２９】
次いで、図６、図９、図１１及び図１２によって、第２糸巻付切替手段について説明する。図１１において前記リング状ガイドロッドの８２の両端部８２ａ，８２ｂは平行に重なる部分を有し、かつ一端側の先端部分８２ａが整経ドラム１２側に平行に重なる部分から先端部までの間が湾曲状に位置するような形状で、平行に重なる部分は糸が通過できる隙間、すなわち第２開口部８５を有している。図６に示したように、第２糸巻付切替手段を構成する湾曲状の第２可動片８８は前記第１可動片８６の設置位置のヤーンガイド回転方向、即ち糸巻付方向の前方の整経ドラム１２の外側端部に設けられている。該第２可動片８８は動作位置（図９の点線：糸の巻付軌道に進出する位置）及び不動作位置（図９の実線：糸の巻付軌道位置から退去している位置）の２方向に第２駆動手段９０によって移動可能とされている。
【００３０】
巻付糸から休止糸に切替える場合には、図９に示すように、指示された糸５４ｂが第２可動片８８を通過する前に、第２可動片８８を動作位置、すなわち点線で示した進出位置にして通過させると、指示された糸５４ｂは第２可動片８８、導入ガイド９４により、第２開口部８５から休止糸軌道に引入れられ、休止糸５４ａに切替わる。尚、図２〜図６において、９４は整経ドラム１２の先端に取付けられた導入ガイドで、第２可動片８８により休止糸に切替えられた糸をリング状ガイドロッド８２と回転支持体６０との間の休止糸軌道に誘導する部材である。
【００３１】
巻付糸からそのまま巻付糸として続行する場合（切替えない場合）には、図９に示すように、指示された糸５４ｂが第２可動片８８を通過する前に第２可動片８８を不動作位置、すなわち実線で示した退却位置にして通過させると、指示された糸５４ｂはそのまま巻付糸５４ｂとなる。
【００３２】
上記した構成によりその作用を説明する。整経作業の開始に先立って、前記ボビン５２から引き出した全ての糸５４（内一本は種糸）を前記ヤーンガイド６６の先端のガイド穴６６ａに通した後、図３に示すように（最初は全て仕掛糸、即ち休止状態であるので図面上は５４ａで示した）糸回収ガイド７０の糸回収孔７２を通して糸巻取リール７４に巻付け固定する。この状態から整経を開始する。即ち、予め設定された柄データ（糸配列順、色糸配列順）によって指定されたヤーンガイド６６が第１開口部８４を通過する前に、第１可動片８６を動作位置（開口状態）にして通過させると、指示された糸５４ａは第１可動片８６に沿って第１開口部８４から整経ドラム１２上に引出され、巻付糸５４ｂとなり、整経が開始される。巻付糸となった糸は、ヤーンガイド６６が１回転以上経過後、第１糸切断装置７６ａにより切断される。
【００３３】
次に、巻付中の糸５４ｂの中から、予め設定された柄データ（糸配列順、色糸配列順）により一時的に不要となる場合は、指定されたヤーンガイド６６が第２可動片８８を通過する前に、第２可動片８８を動作位置（図９の点線：巻付糸軌道に進出した位置）にして通過させると、指示された糸５４ｂは第２可動片８８及び導入ガイド９４に沿って第２開口部８５から休止糸軌道に引入れられ、図５の糸５４ｃの軌道を経て他の休止糸５４ａと糸回収ガイド７０付近で撚合わされる。この巻付糸５４ｂから休止糸５４ａになった糸は、ヤーンガイド６６が３回転以上経過後に第２切断装置７６ｂにより切断される。切断された糸回収ガイド７０側の切断端は、第１切断装置７６ａにより切断された糸回収ガイド７０側の糸と一緒に糸巻取リール７４に巻取られる。又、ヤーンガイドの糸は、他の休止糸５４ａの糸と一緒に撚合わさりながら糸巻取リールに巻き取られる。この糸が予め設定された柄データにより再び巻付糸５４ｂとなる時は、前記第１糸巻付切替手段により巻付糸５４ｂとなり、整経ドラム１２に巻付ける糸に切替えられる。
【００３４】
なお、上記した実施の形態においては、回転給糸装置５０においてヤーンガイド６０を有するヤーンガイド回転支持体６０は回転給糸装置フレーム４２にドライブシャフト４４を介して一体的に装着された例が示されているが、ヤーンガイド回転支持体６０と回転給糸装置フレーム４２とを別体として設置し、互いに同期的に回転させる構成としても同様の作用効果が達成される。
【００３５】
本発明の整経方法を図１３に基づいて説明する。まず、整経にあたって、糸巻付切替手段付サンプル整経機１０の複数個のボビン５２のうち少なくとも１本に種糸（他の糸５４よりも強度の強い糸）を仕掛けておく（種糸準備工程；ステップ１１０）。次に、ボビン５２に仕掛けられた種糸と他のボビンに仕掛けられた糸とを一緒に糸巻取リール７４に仕掛ける（糸仕掛け工程；ステップ１２０）。
【００３６】
そして、リング状ガイドロッド８２の第１開口部８４を開閉する第１可動片８６と、該第１可動片８６を駆動する第１駆動手段８７からなる第１糸巻付切替手段と、リング状ガイドロッド８２の第２開口部８５近傍に設けられた第２可動片８８と第２可動片８８を駆動する第２駆動手段９０からなる第２糸巻付切替手段の２つの糸巻付切替手段により、回転給糸装置５０の各ボビン５２から引出された糸５４を第１開口部８４及び第２開口部８５を介して整経ドラム１２上に巻付ける巻付糸５４ｂと整経ドラム１２上に巻付けない休止糸５４ａとに選択しながら整経する（整経工程；ステップ１３０）。整経の間、休止糸５４ａは種糸と互いに絡み合って糸巻取リール７４に巻取回収される（巻取回収工程；ステップ１４０）。このようにして、本発明の整経方法が行われる。
【図面の簡単な説明】
【００３７】
【図１】本発明の糸巻付切替手段付サンプル整経機の一つの実施の形態の全体を示す側面概略説明図である。
【図２】本発明の糸巻付切替手段付サンプル整経機の一つの実施の形態における整経ドラムの正面を示す概略説明図である。
【図３】本発明の糸巻付切替手段付サンプル整経機の一つの実施の形態において整経開始前に全ての糸を糸巻取リールに仕掛けた状態（糸は全て休止状態）を示す正面概略説明図である。
【図４】本発明の糸巻付切替手段付サンプル整経機の一つの実施の形態において整経が始まり第１糸巻付切替手段により糸が整経ドラムに巻き付けられた状態を示す正面概略説明図である。
【図５】本発明の糸巻付切替手段付サンプル整経機の一つの実施の形態において整経ドラムに巻付中の糸が第２糸巻付切替手段によって休止糸に切替えられる状態を示す正面概略説明図である。
【図６】本発明の糸巻付切替手段付サンプル整経機の一つの実施の形態において第１糸巻付切替手段、第２糸巻付切替手段及び導入ガイドの設置関係を示す側面概略説明図である。
【図７】第１糸巻付切替手段の閉鎖状態を示す動作説明図である。
【図８】第１糸巻付切替手段の開放状態を示す動作説明図である。
【図９】第２糸巻付切替手段の動作説明図である。
【図１０】糸巻取リールの設置状態を示す側面概略説明図である。
【図１１】リング状ガイドロッドの第２開口部を示す部分拡大図である。
【図１２】図１１のＡ矢視拡大図である。
【図１３】本発明の整経方法を示すフローチャートである。
【符号の説明】
【００３８】
１０：糸巻付切替手段付サンプル整経機、１２：整経ドラム、１６：ドラム板、１８：ドラムスポーク、２０：コンベアベルト、３０：整経機フレーム、３２：床、３４：主軸パイプ、３７：回転給糸装置基台、３８：スライドベース、４２：回転給糸装置フレーム、４４：ドライブシャフト、５０：回転給糸装置、５１：回転支持部材、５２：ボビン、５３：支持プレート、５４：糸、５６：糸貯留装置、５７：ヤーンガイド回転支持部材、６０：ヤーンガイド回転支持体、６６：ヤーンガイド、６６ａ：ガイド穴、６７ａ〜６７ｆ：綾取バー、６８：支持体、６９ａ：ガイド上パイプ、６９ｂ：ガイド下パイプ、７０：糸回収ガイド、７２：糸回収孔、７４：糸巻取リール、７５：モータ、７６ａ，７６ｂ：糸切断装置、８２：ガイドロッド、８２ａ，８２ｂ：ガイドロッドの両端部、８２ａ：湾曲状先端部、８４：第１開口部、８５:第２開口部、８６：第１可動片、８７：第１駆動手段、８８：第２可動片、９０：第１駆動手段、９２：サブガイドロッド、９４：導入ガイド。
【図１】
2008255523.tif 000003
【図２】
2008255523.tif 000004
【図３】
2008255523.tif 000005
【図４】
2008255523.tif 000006
【図５】
2008255523.tif 000007
【図６】
2008255523.tif 000008
【図７】
2008255523.tif 000009
【図８】
2008255523.tif 000010
【図９】
2008255523.tif 000011
【図１０】
2008255523.tif 000012
【図１１】
2008255523.tif 000013
【図１２】
2008255523.tif 000014
【図１３】
2008255523.tif 000015